(57)【要約】【課題】便器の左右両外側及び前外側から介護ができると共に、被介護者が安全に起立状態を維持しつつ介護を受けられるようにする。【解決手段】トイレ室内１１の四辺形の床面１１ａに対して、四辺形の対角線Ａ上に、着座式便器１２がその前後方向を沿わせて設けられ、便器１２の左右外側及び前外側に、これら三つの外側に連なって介護者空間Ｓが形成され、介護者空間Ｓより外側の待機位置Ｇから便器前方の身体支持位置Ｆの間で進退自在な身体支持バー２１が設けられ、身体支持位置Ｆに停止中の身体支持バー２１の身体支持領域２１ａが、前後方向を水平に横切る方向に沿って延びる状態になること。【効果】便器１２の左右両外側及び前外側から介護ができると共に、被介護者Ｄが安全に起立状態を維持しつつ介護を受けられるできるので、床面積を小さくした狭小のトイレ室内であっても、被介護者Ｄの身体状況に応じて最適な介護ができる。【選択図】図４
2005245500.tif 000002
【特許請求の範囲】
【請求項１】
トイレ室内に着座式便器を備えた介護できるトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置で停止中の身体支持バーの身体支持領域が、便器の前後方向を水平に横切る方向に沿って延びる状態になることを特徴とする介護できるトイレ構造。
【請求項２】
連なった少なくとも四辺で囲まれた床面を備えたトイレ室内に、この四辺のうちで隣り合う二辺の内角を二等分又は略二等分するように延びる仮想直線上に、着座式便器がその前後方向を沿わせて設けられたトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になることを特徴とする介護できるトイレ構造。
【請求項３】
四辺形の床面を備えたトイレ室内に、この四辺形の隣り合う二辺の内角を二等分又は略二等分するように延びる仮想直線上に、着座式便器がその前後方向を沿わせて設けられたトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になることを特徴とする介護できるトイレ構造。
【請求項４】
一つの室内壁面から、該室内壁面の床面に沿う辺を二等分又は略二等分するように直交方向へ延びる仮想線上に、着座式便器がその前後方向を沿わせ且つ便器後側を該室内壁面側に位置させて設けられたトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になることを特徴とする介護できるトイレ構造。
【請求項５】
前記トイレ室内の便器前方の内隅部から延びる室内二辺の一方に、便器前方に面する室内用出入口を開設すると共に、該室内二辺の他方の室内壁面における該室内用出入口から離れる奥側位置に、前記身体支持バーを水平揺動自在に軸支し、前記身体支持バーは、他方の室内壁面に近接する前記待機位置から前記身体支持位置の間で、揺動先端側が該室内用出入口の近辺を横切るように通過して水平揺動するようになっている請求項２，３又は４に記載の介護できるトイレ構造。
【請求項６】
前記トイレ室内を形成する室内壁面に設けた格納庫に、シャーワーヘッドを前記便器の便鉢まで引き出せるようにしたシャワー設備を備え、前記トイレ室内の床面に排水口を設けた請求項１乃至５のいずれか１項に記載の介護できるトイレ構造。
【請求項７】
前記便器の左右両側に、後側を支点として水平状態から起立状態まで仰伏自在な手摺りを設けた請求項１乃至６のいずれか１項に記載の介護できるトイレ構造。
【発明の詳細な説明】
【技術分野】
【０００１】
本発明は、トイレ室内で介護ができるトイレ構造に関するものである。
【背景技術】
【０００２】
従来、トイレ室内で介護ができるトイレ構造としては、図１０に示す如く、トイレ室内１の隅部へ寄せるようにして着座式便器２を配置し、便器２の一方の外側のみに介護者が位置できる介護者空間Ｒが形成されている（非特許文献１）。
【０００３】
また、トイレ室内の床面積を小さくした狭小のトイレ構造としては、図１１に示す如く、トイレ室内３の四角形の床面３ａに対して、平面視で前記四角形の対角線Ａ上に着座式便器４が設けられ、床面３ａのコーナ部分で且つ前記便器４の後方にパイプスペース５が設けられたものがある（特許文献１）。このトイレ構造は、便器４の左右外側の一方に手摺り６を配置すると共に、他方にペーパーホルダー７及び手洗い器８を備えたカウンター９を配置したものである。
【０００４】
【非特許文献１】「暮らすよろこび応援ブック」，株式会社ＩＮＡＸ，２００３年４月１日，Ｐ４
【特許文献１】特開平１１−３５０７５４号公報
【発明の開示】
【発明が解決しようとする課題】
【０００５】
図１０に示す前記トイレ構造は、便器２の一方の外側のみから介護できるだけであり、被介護者の身体的理由等により、便器２の他方の外側から介護した方が、楽に且つ安定してできる場合がある。また、被介護者の臀部をケアーするときには、被介護者が起立した状態で行うのが好ましいが、前記トイレ構造では、被介護者が安定した状態で起立できる補助具がないため、起立状態での介護ができないことがある。そのために、便器の左右両外側から介護できると共に、被介護者が安定した状態で起立できるトイレ構造の出現が要請されている。
【０００６】
図１１に示す前記トイレ構造は、便器４と手摺り４の間のスペース、および、便器２とカウンター９の間のスペースが非常に狭く、便器２の左右両側に介護者が位置して介護できるスペースが確保されておらず、本来的に健常者の使用を前提とするものであるため、介護を必要とする使用者には適していない。そのため、狭小のトイレ室内でも介護できるトイレ構造の出現が要請されている。
【０００７】
そこで、本発明は、上記要請に応えるために、トイレ室内で便器の左右両外側及び前外側から介護ができると共に、便器の前方で起立した被介護者が安全に起立状態を維持しつつ介護を受けられるトイレ構造を提供せんとするものである。
【課題を解決するための手段】
【０００８】
便器の左右両外側及び前外側から介護ができると共に、被介護者が安全に起立状態を維持しつつ介護を受けられるようにするために請求項１記載の本発明が採用した手段は、トイレ室内に着座式便器を備えた介護できるトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置で停止中の身体支持バーの身体支持領域が、便器の前後方向を水平に横切る方向に沿って延びる状態になることを特徴とする介護できるトイレ構造である。
【０００９】
請求項１記載の本発明にあっては、便器に着座又は離座した被介護者を、便器の左右外側又は前外側から介護者が介護できると共に、介護を受けるために便器前方で起立している被介護者が、身体支持位置に停止固定した身体支持バーの身体支持領域を握るか又は寄り掛かることで、被介護者の安定した起立状態を身体支持バーで維持させつつ介護することができる。
【００１０】
便器の左右両外側及び前外側から介護ができると共に、被介護者が安全に起立状態を維持しつつ介護を受けられるようにするために請求項２記載の本発明が採用した手段は、連なった少なくとも四辺で囲まれた床面を備えたトイレ室内に、この四辺のうちで隣り合う二辺の内角を二等分又は略二等分するように延びる仮想直線上に、着座式便器がその前後方向を沿わせて設けられたトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になることを特徴とする介護できるトイレ構造である。なお、利用し易い介護者空間を得るためには、前記連なった四辺で形成される三つの内角の各々を９０°以上とし、前記仮想直線として、前記連なった四辺のうちの外側の二辺を除く残り内側の二辺の内角を二等分又は略二等分するものを選択する。
【００１１】
便器の左右両外側及び前外側から介護ができると共に、被介護者が安全に起立状態を維持しつつ介護を受けられるようにするために請求項３記載の本発明が採用した手段は、四辺形の床面を備えたトイレ室内に、この四辺形の隣り合う二辺の内角を二等分又は略二等分するように延びる仮想直線上に、着座式便器がその前後方向を沿わせて設けられたトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になることを特徴とする介護できるトイレ構造である。
【００１２】
便器の左右両外側及び前外側から介護ができると共に、被介護者が安全に起立状態を維持しつつ介護を受けられるようにするために請求項４記載の本発明が採用した手段は、一つの室内壁面から、該室内壁面の床面に沿う辺を二等分又は略二等分するように直交方向へ延びる仮想線上に、着座式便器がその前後方向を沿わせ且つ便器後側を該室内壁面側に位置させて設けられたトイレ構造において、前記便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になることを特徴とする介護できるトイレ構造である。なお、前記一つの室内壁面を床面から立ち上げた腰高の壁面とし、該一つの室内壁面の上端位置に天板を設けると共に、天板の上方にトイレ室内の内隅部を形成することもある。そして、該天板を着脱自在とし、該一つの室内壁面より外側の室外に設けた配管（例えば、便器用の給水管や排水管）を、天板を取り外すことで出現する開口部を利用して点検できるように構成することもある。
【００１３】
請求項２乃至４記載の本発明にあっては、便器に着座又は離座した被介護者を、便器の左右外側又は前外側から介護者が介護できると共に、介護を受けるために便器の前方で起立している被介護者が、身体支持位置に停止固定した身体支持バーの身体支持領域を握るか又は寄り掛かることで、被介護者の安定した起立状態を身体支持バーで維持させつつ介護することができる。更に、請求項２及び３記載の本発明にあっては、床面の隣り合う二辺の内角を二等分又は略二等分する仮想直線上に便器を設けることにより、便器の左右外側及び前外側に形成する介護者空間が、トイレ室内の左右及び前方の内隅部を有効利用して大きなスペースを確保できる。
【００１４】
身体支持バーを扱い易くするために請求項５記載の本発明が採用した手段は、前記トイレ室内の便器前方の内隅部から延びる室内二辺の一方に、便器前方に面する室内用出入口を開設すると共に、該室内二辺の他方の室内壁面における該室内用出入口から離れる奥側位置に、前記身体支持バーを水平揺動自在に軸支し、前記身体支持バーは、他方の室内壁面に近接する前記待機位置から前記身体支持位置の間で、揺動先端側が該室内用出入口の近辺を横切るように通過して水平揺動するようになっている請求項２，３又は４に記載の介護できるトイレ構造である。
【００１５】
請求項５記載の本発明にあっては、便器前方に面する室内壁面の奥側位置に身体支持バーを水平揺動自在に軸支して、身体支持バーの揺動先端側が室内用出入口の近辺を横切るようにしてあるため、身体支持バーの待機位置から身体支持位置までの間の揺動角度を小さくでき、室内用出入口側から身体支持バーを揺動操作することができる。
【００１６】
被介護者の臀部を洗浄したり、汚れたトイレ室内床面を清掃したりできるようにするために請求項６記載の本発明が採用した手段は、前記トイレ室内を形成する室内壁面に設けた格納庫に、シャーワーヘッドを前記便器の便鉢まで引き出せるようにしたシャワー設備を備え、前記トイレ室内の床面に排水口を設けた請求項１乃至５のいずれか１項に記載の介護できるトイレ構造である。
本発明にあっては、引き出したシャーワーヘッドで被介護者の臀部、便座又は室内床面を水洗でき、室内床面に流れ落ちた排水を排水口へ排出できる。
【００１７】
介護の邪魔とならずに、便器に対する被介護者の着座や離座をし易くするために請求項７記載の本発明が採用した手段は、前記便器の左右両側に、後側を支点として水平状態から起立状態まで仰伏自在な手摺りを設けた請求項１乃至６のいずれか１項に記載の介護できるトイレ構造である。
本発明にあっては、着座や離座を行う被介護者が、水平状態の手摺りを利用することで安全且つ容易に行動することができ、手摺りを起立させることで、着座又は起立状態の被介護者を手摺りに邪魔されることなく円滑に介護できる。
【００１８】
なお、請求項１乃至４に記載の本発明において、身体支持バーの移動操作を簡単にできるようにするために、前記介護者空間に面する室内壁面に身体支持バーの一端を水平揺動自在に軸支し、身体支持領域が待機位置から身体支持位置まで水平移動できるようにすることもある。更に、被介護者の腰の曲がり度合い等の身体状況に応じて、最適位置に身体支持バーの身体支持領域を停止させることがきるようにするために、身体支持バーが停止位置調節用ストッパーを備えることもある。
【発明の効果】
【００１９】
請求項１乃至４記載の本発明に係る介護できるトイレ構造は、便器の左右両外側及び前外側から介護ができると共に、被介護者が安全に起立状態を維持しつつ介護を受けられるできるので、被介護者の身体状況に応じて最適な介護ができる。
請求項２及び３記載の本発明に係る介護できるトイレ構造は、床面積を小さくした狭小のトイレ室内であっても、被介護者の身体状況に応じて最適な介護ができる。
【００２０】
請求項５記載の本発明に係る介護できるトイレ構造は、身体支持バーが小さな揺動角度で待機位置から身体支持位置の間を進退できると共に、室内用出入口側から身体支持バーを揺動操作できるので、非常に扱い易く迅速な介護に対応できる。
請求項６記載の本発明に係る介護できるトイレ構造は、引き出したシャワーヘッドで被介護者の臀部を洗浄したり、汚れたトイレ室内床面を清掃したりできるので、非常に衛生的である。
【００２１】
請求項７記載の本発明に係る介護できるトイレ構造は、手摺りを仰伏させることで、介護の邪魔とならずに、また、便器に対する被介護者の着座や離座がし易くなるので、介護者及び被被介護者の両者にとって使い易いトイレである。
【発明を実施するための最良の形態】
【００２２】
本発明に係る介護できるトイレ構造（以下、「本発明トイレ構造」と言う。）を図面に示す実施形態に基づいて説明する。
【００２３】
（第１の実施の形態）
図１乃至図５は本発明トイレ構造の第１の実施の形態を示すものであり、図１は全体を示す平面図、図２は図１のＩＩ−ＩＩ線で断面した正面図、図３はシャワー設備１９の格納庫扉２８ａを開くと共に身体支持バー２１のを室内奥側まで揺動させた状態を示す斜視図、図４は便器１２に着座している被介護者Ｄを介護者Ｅが介護している状態を示す平面図、図５は便器前方で起立して身体支持バー２１を握っている被介護者Ｄを介護者Ｅが介護している状態を示す平面図である。
【００２４】
本発明トイレ構造１０は、図１，図４及び図５に示す如く、トイレ室内１１に着座式便器１２を備え、便器１２の左右外側及び前外側に、これら三つの外側に連なる幅Ｗの介護者空間Ｓを形成し、介護者空間Ｓの適宜位置に立つ介護者Ｅが、便器１２に着座している被介護者Ｄ又は離座して便器１２の前方で起立している被介護者Ｄを介護できるようにしてある。便器１２より外側であって図中の二点鎖線Ｊと便器１２との間に形成された介護者空間Ｓの幅Ｗ（図１参照）は、４５０ｍｍ（好ましくは５００ｍｍ）以上を確保できるようにする。
【００２５】
本発明トイレ構造１０は、床面積を小さくした狭小のトイレ室内１１において、便器１２の左右両外側及び前外側から介護ができるようにするために、四辺形（本例では正方形）の床面１１ａを備えたトイレ室内１１に、この四辺形の隣り合う二辺の内角を二等分又は略二等分するように延びる仮想直線（本例では、対角線）Ａ上に、便器１２がその前後方向を沿わせて設けられ、便器１２より外側に前記介護者空間Ｓを形成してある。このように床面１１ａの四辺形の対角線Ａ上に便器１２を設けることにより、本発明トイレ構造１０は、便器１２の左右外側及び前外側に形成する介護者空間Ｓが、トイレ室内１１の左右の内隅部１１ｂ，１１ｄ及び前方の内隅部１１ｃを有効利用して大きなスペースを確保できる。
【００２６】
前記着座式便器１２は、図２に示す如く、内隅部１１ｅに据え置いた架台３８に片持状態に固定し又は床面１１ａに据え置いた便鉢１２ａと、便鉢１２ａに仰伏自在に取り付けた便座１２ｂと、後方の室内内隅部１１ｅに配置固定した便鉢洗浄用タンク１２ｃとを備え、洗浄操作ハンドル１２ｄを操作することで、便鉢１２ａを水洗できるようなっている。便器１２は、左右両側に、後側を支点として水平状態から起立状態まで仰伏自在な手摺り３１，３１を設け、被介護者Ｄの着座や離座をし易くなるようにしてある。介護の邪魔となるときには、手摺り３１，３１を起立状態にして、着座又は起立状態の被介護者を手摺り３１，３１に邪魔されることなく円滑に介護できる。
【００２７】
本発明トイレ構造１０は、図１及び図２に示す如く、室内床面１１ａを形成する防水パン１３と、防水パン１３の外側縁に沿って立設して室内壁面を形成する壁パネル１４，１５，１６，１７と、壁パネル１４〜１７の上端に接合した天井パネル２２とを用いてトイレ室内１１が形成され、図１に示す如く、便器前方の内隅部１１ｃから延びる室内二辺の一方に、便器前方に面する室内用出入口１８を開設し、室内二辺の他方に壁パネル１４を設けてある。室内用出入口１８は、室外側に付設したドア枠２３に備えた引き戸又は折れ戸等の扉３２で開閉自在に覆われている。
【００２８】
本発明トイレ構造１０は、図１に示す如く、トイレ室内１１に、介護者空間Ｓより外側の待機位置Ｇから便器前方の身体支持位置Ｆの間で進退自在な身体支持バー２１が設けられ、身体支持位置Ｆで停止固定中の身体支持バー２１の身体支持領域２１ａが、便器１２の前後方向（矢符Ｋ方向）を水平に横切る方向（矢符Ｌ方向）に沿って延びる状態となるようにしてある。身体支持バー２１を進退移動できないように身体支持位置Ｆで停止固定したとき、前後方向（矢符Ｋ方向）と横切る方向（矢符Ｌ方向）の交差角度Ｍは、被介護者Ｄの腰の曲がり度合い等の身体状況によって８０〜１２０°の範囲から選択され、便器１２から離座してほぼ前方に向かって起立できる被介護者Ｄ（図５参照）の場合には９０゜近辺に設定される。図５に示すように便器１２から離座して便器前方で起立する被介護者Ｄは、身体支持位置Ｆに固定されている身体支持バー２１の身体支持領域２１ａを握るか又は寄り掛かることで、安定した起立状態を維持しつつ介護を受けることができる。身体支持バー２１は、被介護者の身体状況に応じて、最適位置に身体支持領域２１ａを停止固定させることがきるようにするために、停止位置調節用ストッパー２１ｆを備えている。
【００２９】
前記身体支持バー２１は、図１に示す如く、トイレ室内１１の便器前方の内隅部１１ｃから延びる壁パネル壁面１４ａの室内用出入口１８から離れる奥側位置に、水平揺動自在に軸支２４され、壁パネル壁面１４ａに近接する前記待機位置Ｇから前記身体支持位置Ｆの間で、揺動先端２１ｂ側が室内用出入口１８の近辺を横切るように通過して水平揺動するようになっている。身体支持バー２１は、身体支持バーが小さな揺動角度Ｎで待機位置Ｇから身体支持位置Ｆの間を進退できると共に、扉３２で覆われていない室内用出入口１８側から身体支持バー２１を揺動操作できるので、非常に扱い易く迅速な介護に対応できるようになる。
【００３０】
前記身体支持バー２１は、図３に示す如く、上方の水平棒状部２１ｃ（前記身体支持領域２１ａとなる部分）と下方の水平棒状部２１ｄを揺動先端２１ｂで連結した本体部２１ｅで形成され、壁パネル１４の室内壁面１４ａに取り付けたブラケット２５に本体部２１ｅの奥側を軸支２４してある。なお、前記身体支持バー２１は、水平に揺動する形式に限定されるものではなく、図示は省略したが、身体支持領域２１ａを形成する水平棒状部が、床面１１ａに没入する待機位置から便器前方の身体支持位置まで昇降手段で上下移動するように構成したものを選択することも可能である。
【００３１】
本発明トイレ構造１０は、図４に示す如く、便器１２に着座している被介護者Ｄを便器１２の左右両外側及び前外側から介護者Ｅが介護ができると共に、図５に示す如く、被介護者Ｄが身体支持バー２１の身体支持領域２１ａを握るか又は寄り掛かることで、安全に起立状態を維持しつつ介護を受けられるので、被介護者Ｄの身体状況に応じて最適な介護ができる。
【００３２】
本発明トイレ構造１０は、図３に示す如く、便器１２の外側に形成された介護者空間Ｓに面する壁パネル１５にシャワー設備１９を備えると共に、トイレ室内１１の床面１１ａに排水口２７を設け、シャワーヘッド２６を便器１２の便鉢１２ａまで引き出せるようにしてある。本発明トイレ構造１０は、室内用出入口１８に隣接する床面１１ａの部分に、目皿付き排水溝３６が設けられ、水下の目皿付き排水溝３６へ流れ着いた排水を排水口２７へ導くようにしてある。介護者Ｅは、引き出したシャワーヘッド２６で被介護者の臀部、便座１２ｂ又は室内床面１１ａを水洗できると共に、室内床面１１ａに流れ落ちた排水を排水口２７へ速やかに排出できるので衛生的である。
【００３３】
前記シャワー設備１９は、図３に示す如く、湯水混合水栓又は単水等の水栓２９から延設したシャワーホース３０の先端にシャワーヘッド２６を接合して構成したものであり、壁パネル１５に凹設するようにして備えた格納庫２８に格納される。格納庫２８は、開閉扉２８ａが備えられ、開閉扉２８ａを閉じたときに、開閉扉２８ａの表面が壁パネル１５の室内壁面１５ａと面一となるようにしてある。開閉扉２８ａは、鍵付き３７（図２参照）となっており、シャワー設備１９の管理者となる介護者Ｅのみが使用できるようになっている。
【００３４】
本発明トイレ構造１０は、図２に示す内隅部１１ｅに据え置いた架台３８を、図示は省略したが、防水パン１３の外側縁から立設した壁パネルで形成し、該壁パネルの室内壁面を床面１１ａから立ち上げた腰高の壁面とし、該室内壁面の上端位置に天板を設けると共に、天板の上方にトイレ室内１１の後方内隅部を形成することもある。そして、該天板を着脱自在とし、該壁パネルより外側の室外に設けた配管（例えば、便器用の給水管や排水管）を、天板を取り外すことで出現する開口部を利用して点検できるように構成することもある。この場合、着座式便器１２の配置に関する別の見方としては、前記架台３８を形成する壁パネルの室内壁面から、該室内壁面の床面１１ａに沿う辺（該室内壁面の水平な辺）を二等分又は略二等分するように直交方向へ延びる仮想線上に、便器１２がその前後方向を沿わせ且つ便器後側を該室内壁面側に位置させたとすることも可能である。
【００３５】
（第２の実施の形態）
図６は本発明トイレ構造の第２の実施の形態を示す平面図である。本実施の形態に係る本発明トイレ構造４０が前記第１の実施の形態に係る本発明トイレ構造１０と相違する点は、トイレ室内４１を左右に二分する中心線Ｐ上に便器１２を配置し、便器１２の前方に形成した介護者空間Ｓに面する左右の室内二辺の一方に室内出入口１８を設けると共に、他方の室内壁面４５ａに身体支持バー２１を揺動自在に軸支２４したことである。この相違点以外の構成は、前記第１の実施の形態と実質的に同一であり、同一構成部材等は同一の符号で図中に示している。トイレ室内４１は、四周囲の壁４４，４５，４６，４７で囲まれて形成されている。
【００３６】
なお、室内出入口１８は、本例ではトイレ室内４１の床面の右側辺に設けてあるが、該床面の前側辺に設けても構わない。また、収納庫２８は、本例では左側壁４５に設けてあるが、後側壁４６に設けても構わない。
【００３７】
（第３の実施の形態）
図７は本発明トイレ構造の第３の実施の形態を示す平面図である。本実施の形態に係る本発明トイレ構造５０が前記第１の実施の形態に係る本発明トイレ構造１０と大きく相違する点は、長方形の床面５１ａを備えたトイレ室内５１に、この床面５１ａの後寄り左右の隣り合う二辺の内角θ１を二等分又は略二等分するように延びる仮想直線Ｂ１上に、便器１２を配置したことである。この相違点以外の構成は、前記第１の実施の形態と実質的に同一であり、同一構成部材等は同一の符号で図中に示している。トイレ室内５１は、四周囲の壁５４，５５，５６，５７で囲まれて形成されている。
【００３８】
（第４の実施の形態）
図８は本発明トイレ構造の第３の実施の形態を示す平面図である。本実施の形態に係る本発明トイレ構造６０が前記第１の実施の形態に係る本発明トイレ構造１０と大きく相違する点は、五角形の床面６１ａを備えたトイレ室内６１に、この床面６１ａの前寄り左右の隣り合う二辺の内角θ２を二等分又は略二等分するように延びる仮想直線Ｂ２上に、便器１２を配置したことである。この相違点以外の構成は、前記第１の実施の形態と実質的に同一であり、同一構成部材等は同一の符号で図中に示している。トイレ室内６１は、四周囲の壁６４，６５，６６，６７，６８で囲まれて形成されている。なお、前記仮想直線Ｂ２は、後側の壁６６の床面６１ａに沿う辺（壁６６の水平な辺）を二等分又は略二等分するように直交方向へ延びる仮想線とすることもある。
【００３９】
（第５の実施の形態）
図９は本発明トイレ構造の第４の実施の形態を示す平面図である。本実施の形態に係る本発明トイレ構造７０が前記第１の実施の形態に係る本発明トイレ構造１０と大きく相違する点は、七角形の床面７１ａを備えたトイレ室内７１に、この床面７１ａの前寄り左右の隣り合う二辺の内角θ３を二等分又は略二等分するように延びる仮想直線Ｂ３上に、便器１２を配置したことである。この相違点以外の構成は、前記第１の実施の形態と実質的に同一であり、同一構成部材等は同一の符号で図中に示している。トイレ室内６１は、四周囲の壁７３，７４，７５，７６，７７，７８，７９で囲まれて形成されている。なお、前記仮想直線Ｂ３は、後側の壁７６の床面７１ａに沿う辺（壁７６の水平な辺）を二等分又は略二等分するように直交方向へ延びる仮想線とすることもある。
【００４０】
（その他の実施の形態）
本発明トイレ構造は、前記第１〜５の実施の形態の如く、トイレ室内の床面を四角形（正方形や長方形），五角形，七角形で形成する以外に、図示は省略したが、三角形を除く多角形で形成することも可能である。この場合には、床面の連なった少なくとも四辺のうちの隣り合う二辺の内角を二等分又は略二等分するように延びる仮想直線上に、着座式便器がその前後方向を沿わせて設けられか、または、一つの室内壁面から、該室内壁面のトイレ室内床面に沿う辺を二等分又は略二等分するように直交方向へ延びる仮想線上に、着座式便器がその前後方向を沿わせ且つ便器後側を該室内壁面側に位置させて設けられる。そして、該便器の左右外側及び前外側に、これら三つの外側に連なって介護者空間が形成され、該介護者空間より外側の待機位置から便器前方の身体支持位置の間で進退自在な身体支持バーが設けられ、該身体支持位置に停止中の身体支持バーの身体支持領域が、前記前後方向を水平に横切る方向に沿って延びる状態になるように構成することは、前記第１〜５の実施の形態の場合と実質的に同一である。なお、利用し易い介護者空間を得るためには、床面の前記連なった四辺で形成される三つの内角の各々を９０°以上とし、前記仮想直線として、この四辺のうちの外側の二辺を除く残り内側の二辺の内角を二等分又は略二等分するものを選択する。
【図面の簡単な説明】
【００４１】
【図１】本発明トイレ構造の第１の実施の形態を示すものであり、全体を示す平面図である。
【図２】図１のＩＩ−ＩＩ線で断面した正面図である。
【図３】シャワー設備の格納庫扉を開くと共に身体支持バーを室内奥側まで揺動させた状態を示す斜視図である。
【図４】便器に着座している被介護者を介護者が介護している状態を示す平面図である。
【図５】便器前方で起立して身体支持バーを握っている被介護者を介護者が介護している状態を示す平面図である。
【図６】本発明トイレ構造の第２の実施の形態を示す平面図である。
【図７】本発明トイレ構造の第３の実施の形態を示す平面図である。
【図８】本発明トイレ構造の第４の実施の形態を示す平面図である。
【図９】本発明トイレ構造の第５の実施の形態を示す平面図である。
【図１０】従来のトイレ構造を示す平面図である。
【図１１】従来のトイレ構造の別態様を示す平面図である。
【符号の説明】
【００４２】
１１（４１，５１，６１，７１）…トイレ室内、１１ａ（４１ａ，５１ａ，６１ａ，７１ａ）…床面、Ａ…対角線、Ｂ１〜Ｂ３…仮想直線、２１…着座式便器、Ｓ…介護者空間、Ｇ…待機位置、Ｆ…身体支持位置、２１…身体支持バー、２１ａ…身体支持領域
【図１】
2005245500.tif 000003
【図２】
2005245500.tif 000004
【図３】
2005245500.tif 000005
【図４】
2005245500.tif 000006
【図５】
2005245500.tif 000007
【図６】
2005245500.tif 000008
【図７】
2005245500.tif 000009
【図８】
2005245500.tif 000010
【図９】
2005245500.tif 000011
【図１０】
2005245500.tif 000012
【図１１】
2005245500.tif 000013